(57)【要約】【課題】原稿の画像に対してユーザの所望する倍率の画像のサイズを直感的にイメージでき、ユーザの所望する倍率の画像を得ることができる画像読取装置およびこれを備えた画像形成装置を提供する。【解決手段】原稿サイズ検知手段（１０２Ａ２）と、原稿読取部（１０２Ａ１）と、原稿画像を所定の倍率に変倍する変倍手段(１０２Ａ３１）を有するスキャナ制御部（１０２Ａ３）とを備えたスキャナ部（１０２Ａ）において、原稿載置台（１０２Ｃ）に配置することで出力する記録媒体のサイズまたは画像のサイズを指定するマーカー（１０２Ａ４）を備え、原稿読取部（１０２Ａ１）は、原稿載置台（１０２Ｃ）上のマーカー（１０２Ａ４）を検出するマーカー検出手段（１０２Ａ５）を備え、原稿の画像を読み取る際に、マーカー検出手段（１０２Ａ５）によりマーカー（１０２Ａ４）の位置を同時に検出することを特徴とする。【選択図】図４
2016082346.tif 000002
【特許請求の範囲】
【請求項１】
原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置において、
前記原稿載置台に配置することで出力する記録媒体のサイズまたは画像のサイズを指定する出力サイズ指定部材を備え、
前記原稿読取手段は、前記原稿載置台上の前記出力サイズ指定部材を検出する出力サイズ指定部材検出手段を備え、前記読み取り原稿の画像を読み取る際に、前記出力サイズ指定部材検出手段により前記出力サイズ指定部材の位置を同時に検出することを特徴とする画像読取装置。
【請求項２】
前記出力サイズ指定部材検出手段は、前記原稿載置台に配置される前記読み取り原稿の載置基準位置から前記出力サイズ指定部材の位置までのＸ，Ｙ方向の位置情報を検出し
前記変倍手段は、前記原稿サイズ検知手段から得られた読み取り原稿のサイズと、前記出力サイズ指定部材検出手段による検出結果に基づき、倍率を決定することを特徴とする請求項１に記載の画像読取装置。
【請求項３】
前記出力サイズ指定部材として、２つの出力サイズ指定部材を備え、
前記制御手段は、２つの出力サイズ指定部材により指定された２位置を結ぶ直線を対角線とした矩形を設定し、前記矩形の対向する２辺を前記原稿読取手段の走査方向に対して平行に形成し、他の２辺を前記原稿読取手段の副走査方向に対して平行に形成して、その矩形の範囲を特定範囲として設定する特定範囲設定手段を備えることを特徴とする請求項１に記載の画像形成装置。
【請求項４】
前記出力サイズ指定部材として、３つの出力サイズ指定部材を備え、
前記制御手段は、３つの出力サイズ指定部材により指定された位置を結ぶ直線に包囲された範囲を特定範囲として設定する特定範囲設定手段を備えることを特徴とする請求項１に記載の画像形成装置。
【請求項５】
原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置が搭載され、前記画像読取装置により読込まれた画像データに基づき電子写真方式により画像を出力する画像形成装置において、
前記画像読取装置として、請求項１から４のうちの何れか一項に記載の画像読取装置を用いることを特徴とする画像形成装置。
【発明の詳細な説明】
【技術分野】
【０００１】
本発明は、画像読取装置およびこれを備えた画像形成装置に係り、特に、読み取られた原稿画像を所定の倍率に変倍する機能を有する画像読取装置およびこれを備えた画像形成装置に関する。
【背景技術】
【０００２】
従来、複写機等の画像形成装置に搭載される画像読取装置は、通常、画像形成装置の上部に設けられて、単票の原稿や複数枚の原稿を自動的に読み込んで、その画像データを画像形成装置に送信するようにされている。そして、画像形成装置では自動的に画像出力される。
【０００３】
このような画像読取装置においては、読み取った原稿の画像を拡大／縮小して出力する際、出力結果を直感的に把握しにくい場合がある。また、画像を拡大／縮小する操作についても、煩雑となることが考えられる。
【０００４】
具体的には、画像読取装置により読み取った原稿の画像を拡大／縮小コピーする場合は、通常、拡大／縮小サイズを定型サイズで指定するか、原稿に対して倍率を指定して行うようにされている。しかしながら、これらの拡大／縮小サイズを指定する方法では、印刷後のサイズを直感的にイメージすることが難しい。また、定型サイズで倍率を指定する場合は、各定型サイズに慣れていないユーザにとっては印刷後のサイズがイメージし難いという問題があった。
【０００５】
また、通常のコピーを行う場合は、ボタン１つの操作で行うことができるのに対し、拡大／縮小コピーを行う場合は、サイズの指定等の操作が必要となり、通常のコピーと比較して操作が煩雑となっていた。
【０００６】
そこで、上記問題点を解決するために、従来技術として、例えば、画像読取装置において、読み取り原稿を載置する載置位置を複数箇所設定して、載置位置に応じて各々処理（例えば、拡大や縮小、用紙の選択など）を行うようにした技術が開示されている（特許文献１を参照）。
【０００７】
このような技術によれば、例えば、読み取り原稿の載置位置に応じて、拡大倍率をＢ５→Ａ４，Ｂ４→Ａ３が１１５％、Ａ５→Ｂ５，Ａ４→Ｂ４が１２２％、Ｂ５→Ｂ４，Ａ４→Ａ３が１４４％となるようにプリセットし、また、縮小倍率をＡ４→Ｂ５，Ａ３→Ｂ４が８６％、Ｂ５→Ａ５，Ｂ４→Ａ４が８１％、Ｂ４→Ｂ５，Ａ３→Ａ４が７０％となるようにプリセットすることで、読み取り原稿を所定の載置位置に載置するだけで、ユーザの所望する用紙サイズや倍率で印刷することができる。
【先行技術文献】
【特許文献】
【０００８】
【特許文献１】特開２００５−２７７７５９０号公報
【発明の概要】
【発明が解決しようとする課題】
【０００９】
しかしながら、上述した特許文献１の技術では、ユーザの所望する倍率でサイズを指定する場合は、所望のサイズに丁度の数値を指定することが難しく、また、原稿を拡大／縮小コピーする場合は、直感的にサイズをイメージできないと印刷ミスにつながる虞があるという問題があった。
【００１０】
本発明は、上記従来の課題に鑑みてなされたものであり、読み取り原稿の画像に対してユーザの所望する倍率の画像のサイズを直感的にイメージでき、ユーザの所望する倍率の画像を得ることができる画像読取装置およびこれを備えた画像形成装置を提供することを目的とする。
【課題を解決するための手段】
【００１１】
本発明は、原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置において、前記原稿載置台に配置することで出力する記録媒体のサイズまたは画像のサイズを指定する出力サイズ指定部材を備え、前記原稿読取手段の構成として、前記出力サイズ指定部材を検出する出力サイズ指定部材検出手段を備え、前記読み取り原稿の画像を読み取る際に、前記出力サイズ指定部材検出手段により前記出力サイズ指定部材の位置を同時に検出することを特徴とするものである。
【００１２】
また、本発明は、前記出力サイズ指定部材検出手段を、前記原稿載置台に配置される前記読み取り原稿の載置基準位置から前記出力サイズ指定部材の位置までのＸ，Ｙ方向の位置情報（載置基準位置からの長さ、距離）を検出するものとし、前記変倍手段を、前記原稿サイズ検知手段から得られた読み取り原稿のサイズと、前記出力サイズ指定部材検出手段による検出結果に基づき、倍率を決定するものとすることが好ましい。
【００１３】
また、本発明は、前記出力サイズ指定部材として、２つの出力サイズ指定部材（例えば、第１出力サイズ指定部材と第２出力サイズ指定部材）を備え、前記制御手段により、２つの出力サイズ指定部材により指定された２位置を結ぶ直線を対角線とした矩形を設定し、前記矩形の対向する２辺を前記原稿読取手段の主走査方向に対して平行に形成し、他の２辺を前記原稿読取手段の副走査方向に対して平行に形成して、その矩形の範囲を特定範囲（出力範囲またはトリミング範囲）として設定する特定範囲設定手段を備えることが好ましい。
【００１４】
また、本発明は、前記出力サイズ指定部材として、３つの出力サイズ指定部材（例えば、第１出力サイズ指定部材、第２出力サイズ指定部材、第３出力サイズ指定部材）を備え、前記制御手段により、３つの出力サイズ指定部材により指定された位置を結ぶ直線に包囲された範囲を特定範囲（出力範囲またはトリミング範囲）として設定する特定範囲設定手段を備えることが好ましい。
【００１５】
また、前記制御手段により、３つの出力サイズ指定部材により指定された位置（点）を結ぶ直線に包囲された３角形が内接するように形成された矩形の範囲を特定範囲として設定するようにしてもよい。
【００１６】
また、本発明は、原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置が搭載され、前記画像読取装置により読込まれた画像データに基づき電子写真方式により画像を出力する画像形成装置において、前記画像読取装置として、請求項１から４のうちの何れか一項に記載の画像読取装置を用いることを特徴とするものである。
【発明の効果】
【００１７】
本発明の画像読取装置によれば、原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置において、前記原稿載置台に配置することで出力する記録媒体のサイズまたは画像のサイズを指定する出力サイズ指定部材を備え、前記原稿読取手段の構成として、前記出力サイズ指定部材を検出する出力サイズ指定部材検出手段を備え、前記読み取り原稿の画像を読み取る際に、前記出力サイズ指定部材検出手段により前記出力サイズ指定部材の位置を同時に検出することで、読み取り原稿の画像に対してユーザの所望する倍率の画像のサイズを直感的にイメージでき、一度の読み取り操作により読み取り原稿の画像の読み取りと読み取り原稿のサイズを取得できるとともに、出力サイズ指定部材の位置を読み取ることで出力記録紙サイズも取得でき、原稿読み取りサイズと出力記録紙サイズとの比率から読み取られた画像データの倍率を算出することが可能となり、簡単にユーザの所望する倍率の画像を得ることができる。
【００１８】
また、本発明の画像形成装置によれば、原稿載置台に載置された読み取り原稿の大きさを検知する原稿サイズ検知手段と、前記読み取り原稿の画像を読み取る原稿読取手段と、読み取られた原稿画像を所定の倍率に変倍する変倍手段を有する制御手段と、を備えた画像読取装置が搭載され、前記画像読取装置により読込まれた画像データに基づき電子写真方式により画像を出力する画像形成装置において、前記画像読取装置として、請求項１から４のうちの何れか一項に記載の画像読取装置を用いることで、読み取り原稿の画像に対してユーザの所望する倍率の画像のサイズを直感的にイメージでき、一度の読み取り操作により読み取り原稿の画像の読み取りと読み取り原稿のサイズを取得できるとともに、出力サイズ指定部材の位置を読み取ることで出力記録紙サイズも取得でき、原稿読み取りサイズと出力記録紙サイズとの比率から読み取られた画像データの倍率を算出することが可能となり、簡単にユーザの所望する倍率の画像を得ることができる。
【図面の簡単な説明】
【００１９】
【図１】本発明の第１実施形態に係る画像読取装置を備える画像形成装置の全体の構成を示す説明図である。
【図２】前記画像形成装置の電気的構成を示すブロック図である。
【図３】前記原稿読取装置を構成するスキャナ部の概略構成を示す説明図である。
【図４】前記スキャナ部の電気的構成を示すブロック図である。
【図５】前記スキャナ部に設けられるマーカーとマーカー検出手段の概略構成を示す説明図である。
【図６】前記マーカー検出手段の構成を示す説明図である。
【図７】前記マーカー検出手段による副走査方向のマーカーを検出する動作を示す説明図である。
【図８】前記スキャナ部において原稿画像を変倍して印刷する処理を示すフローチャートである。
【図９】前記スキャナ部において原稿画像をマーカーによって拡大指示するときの状態を示す説明図である。
【図１０】前記スキャナ部において原稿画像をマーカーによって縮小指示するときの状態を示す説明図である。
【図１１】前記スキャナ部において原稿画像を印刷するサイズをマーカーによって指定する状態を示す説明図である。
【図１２】前記原稿画像をＹ軸方向の倍率に固定して印刷するサイズを決定した状態を示す説明図である。
【図１３】前記原稿画像をＸ軸方向の倍率に固定して印刷するサイズを決定した状態を示す説明図である。
【図１４】前記原稿画像のＹ軸方向／Ｘ軸方向の倍率をそれぞれ指定されたサイズで印刷する状態を示す説明図である。
【図１５】前記画像形成装置において原稿画像を拡大／縮小して印刷する際の原稿画像拡大サイズと用紙サイズとの関係を示す説明図である。
【図１６】本発明の第２実施形態に係る画像形成装置を構成するスキャナ部の電気的構成を示すブロック図である。
【図１７】前記スキャナ部において原稿の画像を２つのマーカーによってトリミング範囲を指示するときの状態を示す説明図である。
【図１８】前記スキャナ部において原稿の画像を２つのマーカーによって塗りつぶし範囲を指示するときの状態を示す説明図である。
【図１９】本発明の第３実施形態に係る画像形成装置を構成するスキャナ部の電気的構成を示すブロック図である。
【図２０】前記スキャナ部において原稿の画像を３つのマーカーによってトリミング範囲を指示するときの状態を示す説明図である。
【図２１】前記スキャナ部において原稿の画像を３つのマーカーが内接する矩形により特定する範囲を指示するときの状態を示す説明図である。
【図２２】本発明の第４実施形態に係る画像形成装置を構成するスキャナ部の電気的構成を示すブロック図である。
【図２３】前記スキャナ部において見開きの原稿をマーカーによって印刷するページを指定する状態を示す説明図である。
【発明を実施するための形態】
【００２０】
（第１実施形態）
以下、本発明の第１実施形態について図面を参照して説明する。
図１は発明を実施する形態の一例であって、本発明の第１実施形態に係る画像読取装置を備える画像形成装置の全体の構成を示す説明図、図２は前記画像形成装置の電気的構成を示すブロック図である。
【００２１】
本発明の第１実施形態は、図１に示すように、読み取り原稿（以下、単に「原稿」と称する。）の画像を読取るスキャナ部（画像読取装置）１０２Ａと、原稿を自動搬送する自動原稿処理装置１０２Ｂを備えた原稿読取装置１０２が搭載された画像形成装置１００おいて、スキャナ部１０２Ａの構成として、本発明に係る画像読取装置の特徴的な構成を備えたことを特徴とするものである。
【００２２】
この画像形成装置１００は、電子写真方式により記録用紙に画像を形成する。
そして、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える複合機である。
なお、この画像形成装置１００は、さらにネットワークプリンタモードを備えていても構わない。
【００２３】
スキャナ部１０２Ａは、画像形成装置１００本体の上部に設けられている。
自動原稿処理装置１０２Ｂは、スキャナ部１０２Ａ上部に対向して開閉自在に設けられ、スキャナ部１０２Ａ上に載置される原稿を押える原稿押え部としても機能するように構成されている。これにより、一枚ごとの原稿読取処理を行うことが可能となっている。
そして、自動原稿処理装置１０２Ｂをスキャナ部１０２Ａ上部に搭載することで、原稿の両面読取が可能となるとともに、複数枚の原稿の自動連続読取処理が可能となっている。
【００２４】
まず、本発明の第１実施形態に係る画像形成装置１００の基本的な構成について説明する。
第１実施形態に係る画像形成装置１００は、図１，図２に示すように、主に、スキャナ部１０２Ａにより読み取った画像データを記憶する記憶部１０３、記憶部１０３に記憶された画像データに基づき画像を印字する印字手段１０４、制御部１０５、用紙を供給する給紙部１０６、画像データに基づき形成された画像を出力する画像出力手段１０７、排紙処理装置１０８、および、操作ユニット１２０を備える。
【００２５】
制御部１０５は、図２に示すように、通常の画像形成装置１００の各部の動作処理制御に加えて、スキャナ部１０２Ａの動作処理を制御するスキャナ制御部（制御手段）１０２Ａ３および自動原稿処理装置１０２Ｂの動作処理を制御する原稿搬送制御部１０２Ｂ３として機能するように構成されている。
【００２６】
排紙処理装置１０８は、複数の記録用紙を各排紙トレイ１１０に仕分けして排出する処理、各記録用紙にパンチングする処理、および各記録用紙にステープルする処理を施す。
例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット（図示省略）によるパンチング処理またはステープルユニット（図示省略）によるステープル処理を施して印刷物を作成する。
【００２７】
操作ユニット１２０は、図１に示すように、主にタッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル１３４とで構成される。
【００２８】
このように画像形成装置１００は、主たる操作デバイスとしてタッチパネルディスプレイ１３０を備えるとともに、ハードウェアキーおよび表示灯により構成される表示操作部１４０を備える。
【００２９】
なお、画像形成装置１００は、このような構成の表示操作部１４０を備えるものに限定されず、タッチパネルディスプレイ１３０のみを備えるものであってもよい。
【００３０】
次に、第１実施形態の画像形成装置１００の原稿読取装置１０２を構成する画像読取装置であるスキャナ部１０２Ａの特徴的な構成について図面を参照して説明する。
図３は第１実施形態の原稿読取装置を構成するスキャナ部の概略構成を示す説明図、図４は前記スキャナ部の電気的構成を示すブロック図である。
【００３１】
第１実施形態のスキャナ部１０２Ａは、図３，図４に示すように、主に、原稿の画像を読み取る原稿読取部（原稿読取手段）１０２Ａ１と、原稿サイズ検知手段１０２Ａ２と、これらの動作制御を行うスキャナ制御部１０２Ａ３を備えている。
【００３２】
原稿読取部１０２Ａ１は、主に、ランプユニット１０２ａ１、反射手段１０２ａ２、受光手段１０２ａ３と、ランプユニット駆動手段１０２ａ４、を備える。
ランプユニット１０２ａ１は、原稿を照射する発光手段である。反射手段１０２ａ２は、ランプユニット１０２ａ１により照射された原稿からの反射光を反射する。受光手段１０２ａ３は、原稿からの反射光を受光する。ランプユニット駆動手段１０２ａ４は、ランプユニット１０２ａ１を副走査方向に移動する。
【００３３】
原稿サイズ検知手段１０２Ａ２は、原稿載置台１０２Ｃに載置された原稿の大きさを検知する。
【００３４】
スキャナ制御部１０２Ａ３は、読み取られた原稿画像を所定の倍率に変倍する変倍手段１０２Ａ３１と、用紙サイズ選択手段１０２Ａ３２を有する。
【００３５】
第１実施形態では、スキャナ部１０２Ａは、マーカー（出力サイズ指定部材）１０２Ａ４を備えて、ユーザの所望するサイズとなるように原稿載置台１０２Ｃにマーカー１０２Ａ４を配置して、そのマーカー１０２Ａ４の位置を検出して、出力する記録媒体（用紙）のサイズまたは画像のサイズを指定することを特徴としている。また、原稿読取部１０２Ａ１には、マーカー１０２Ａ４を検出するマーカー検出手段（出力サイズ指定部材検出手段）１０２Ａ５を備えることを特徴としている。
【００３６】
そして、原稿読取部１０２Ａ１は、原稿の画像（以下、「原稿画像」と称する。）を読み取る際に、マーカー検出手段１０２Ａ５によりマーカー１０２Ａ４の位置を同時に検出するように制御されている。
【００３７】
第１実施形態では、変倍手段１０２Ａ３１は、原稿サイズ検知手段１０２Ａ２から得られた原稿のサイズと、マーカー検出手段１０２Ａ５による検出結果に基づき、倍率を決定する。用紙サイズ選択手段１０２Ａ３２は、マーカー１０２Ａ４により原稿画像を拡大／縮小するサイズが指定された場合は、原稿画像を拡大／縮小した画像が収まる定型サイズのうち最小のサイズの用紙を選択する。
【００３８】
ここで、マーカー１０２Ａ４の検出方法について説明する。
図５は第１実施形態の画像形成装置の原稿読取装置を構成するスキャナ部に設けられるマーカーとマーカー検出手段の概略構成を示す説明図、図６は前記マーカー検出手段の構成を示す説明図、図７は前記マーカー検出手段による副走査方向のマーカーを検出する動作を示す説明図である。
【００３９】
マーカー１０２Ａ４の検出方法には、ハードウェアによる検出方法とソフトウェアによる検出方法がある。
【００４０】
まず、ハードウェアによる検出方法は、マーカー１０２Ａ４とマーカー検出手段１０２Ａ５との間の電磁波の送受信によりマーカー１０２Ａ４を検出する。
【００４１】
マーカー１０２Ａ４は、図５に示すように、スキャナ部１０２Ａの原稿載置台１０２Ｃ上に配置して用いるものであって、電磁波の送信または送受信ができるＩＣや磁石等により構成されたものが実装されている。
【００４２】
マーカー検出手段１０２Ａ５は、図３，図５に示すように、ランプユニット１０２ａ１を構成する光源であって、主走査方向に沿って長く形成された光源のＬＥＤバー１０２Ａ５０に電磁波を送受信または受信する検出素子を等間隔で実装したものである。
【００４３】
マーカー１０２Ａ４の位置情報は、第１実施形態の画像形成装置１００のスキャナ部１０２Ａでは、図５に示すように、原稿載置台１０２Ｃ上において、原左上隅を原点Ｏ（０，０）、主走査方向をＹ軸、副走査方向をＸ軸とした直交座標系として、マーカー１０２Ａ４の位置を座標（ｘ，ｙ）で表現する。
【００４４】
第１実施形態では、マーカー検出手段１０２Ａ５は、図６に示すように、ＬＥＤバー１０２Ａ５０に、マーカー検出手段１０２Ａ５を検出する「リーダ」として、１番リーダ１０２Ａ５１，２番リーダ１０２Ａ５２，３番リーダ１０２Ａ５３・・・ｎ番リーダ１０２Ａ５ｎのｎ個の検出素子が実装されている。
【００４５】
マーカー１０２Ａ４の検出は、原稿の読み取りが実行される時のＬＥＤバー１０２Ａ５０の移動時に主走査・副走査方向に対して以下のようにして行われる。
【００４６】
マーカー１０２Ａ４の主走査方向の検出は、１番リーダ１０２Ａ５１からｎ番リーダ１０２Ａ５ｎまで順に１つずつ検出が行われる。マーカー１０２Ａ４の主走査方向の位置は、電磁波を検出したリーダの位置とする。
【００４７】
なお、複数のリーダでマーカー１０２Ａ４の電磁波を検出した場合は、検出強度の比率によって位置を算出する。例えば、図６に示すように、２番リーダ１０２Ａ５２と３番リーダ１０２Ａ５３との中間でマーカー１０２Ａ４が検出された場合は、主走査方向の位置（ｘ座標）は「２．５」とする。
【００４８】
マーカー１０２Ａ４の副走査方向の検出は、ＬＥＤバー１０２Ａ５０を副走査方向に一定間隔移動して主走査方向の検出を行い、一定間隔毎に１列からｎ列の位置にわたり電磁波の検出が行われる。マーカー１０２Ａ４の副走査方向の位置は、光源が副走査方向に移動する際に電磁波を検出した位置とする。
【００４９】
なお、ＬＥＤバー１０２Ａ５０の副走査方向における複数の位置で電磁波を検出した場合は、例えば、図７に示すように、ＬＥＤバー１０２Ａ５０の１列目の位置と２列目の位置でマーカー１０２Ａ４が検出された場合は、副走査方向の位置（ｙ座標）は「１．５」とする。
【００５０】
また、原稿の素材が電磁波を通す素材であれば、マーカー１０２Ａ４を原稿と重ねて置いた場合でも検出が可能である。
【００５１】
次に、ソフトウェアによる検出方法としては、マーカー１０２Ａ４に特定の模様（パターン）を印刷しておき、原稿画像を読み込んだ時に、スキャン画像に対するパターンマッチング処理により原稿画像とは異なる特定のパターンを有するマーカー１０２Ａ４を検出する。
【００５２】
次に、第１実施形態の画像形成装置１００における原稿読取装置１０２のスキャナ部１０２Ａにおいて、原稿画像をユーザの所望する大きさに変倍して印刷する処理についてフローチャートに沿って説明する。
図８は第１実施形態の画像形成装置のスキャナ部において原稿画像を変倍して印刷する処理を示すフローチャート、図９は前記スキャナ部において原稿画像をマーカーによって拡大指示するときの状態を示す説明図、図１０は前記スキャナ部において原稿画像をマーカーによって縮小指示するときの状態を示す説明図である。
【００５３】
第１実施形態では、画像形成装置１００において、原稿の画像を読み取る際に、スキャナ部１０２Ａの原稿載置台１０２Ｃ上でユーザの所望する画像の大きさをマーカー１０２Ａ４で指示するだけで、原稿画像を変倍してユーザの所望する大きさの画像を印刷する。
【００５４】
まず、第１実施形態の画像形成装置１００において、スキャナ部１０２Ａの原稿載置台１０２Ｃ上に原稿を載置し、つぎに、印刷される画像がユーザの所望する大きさになる位置にマーカー１０２Ａ４を配置する（ステップＳ１）。
【００５５】
具体的には、原稿画像を拡大する場合は、図９に示すように、原稿Ｇ１の外側で所望する拡大サイズとなる位置にマーカー１０２Ａ４を配置する。また、原稿画像を縮小する場合は、図１０に示すように、原稿Ｇ２上で所望する縮小サイズとなる位置にマーカー１０２Ａ４を配置する。
【００５６】
そして、スキャナ部１０２Ａによる原稿の読み取りが開始される（ステップＳ２）。
このとき、原稿サイズ検知手段１０２Ａ２により原稿載置台１０２Ｃ上に載置された原稿のサイズが検出される。そして、原稿読取部１０２Ａ１による原稿の読み取り処理と同時にマーカー検出手段１０２Ａ５によるマーカー１０２Ａ４の位置検出が行われる（ステップＳ３）
【００５７】
そして、変倍手段１０２Ａ３１により原稿サイズ検知手段１０２Ａ２から得られた原稿のサイズと、マーカー検出手段１０２Ａ５により検出されたマーカー１０２Ａ４の位置から倍率が決定されて、印刷する画像を拡大サイズが算出される（ステップＳ４）。
【００５８】
そして、画像形成装置１００において原稿画像がユーザの所望するサイズに拡大／縮小されて印刷される（ステップＳ５）
このようにして、画像形成装置１００による画像出力が終了する。
【００５９】
次に、原稿画像を拡大／縮小して印刷する場合について説明する。
図１１は第１実施形態の画像形成装置のスキャナ部において原稿画像を印刷するサイズをマーカーによって指定する状態を示す説明図、図１２は前記原稿画像をＹ軸方向の倍率に固定して印刷するサイズを決定した状態を示す説明図、図１３は前記原稿画像をＸ軸方向の倍率に固定して印刷するサイズを決定した状態を示す説明図、図１４は前記原稿画像のＹ軸方向／Ｘ軸方向の倍率をそれぞれ指定されたサイズで印刷する状態を示す説明図である。
【００６０】
第１実施形態において、原稿Ｇ３をユーザの所望するサイズに拡大／縮小する場合は、図１１に示すように、スキャナ部１０２Ａの原稿載置台１０２Ｃ上で原稿画像がユーザの所望するサイズとなる位置にマーカー１０２Ａ４を配置して、このマーカー１０２Ａ４の位置情報（座標）に基づいて倍率が算出される。
具体的には、ユーザの所望する画像のサイズは、原稿を読み取る主走査方向（Ｙ軸方向）でＹ倍、副走査方向（Ｘ軸方向）でＸ倍となっている（２点鎖線部）。
【００６１】
原稿画像を拡大／縮小して出力（印刷）する場合は、原稿画像の縦横の比率を固定して拡大／縮小する場合と、原稿画像の縦横の比率を固定しないで拡大／縮小する場合がある。
【００６２】
原稿画像の縦横の比率を固定して拡大／縮小する場合は、原稿を読み取る主走査方向（Ｙ軸方向）の倍率をＹ倍で固定した時は、図１２に示すように、副走査方向（Ｘ軸方向）の倍率もＹ倍となって印刷される（実線部）。
【００６３】
また、原稿を読み取る副走査方向（Ｘ軸方向）の倍率をＸ倍で固定した時は、図１３に示すように、主走査方向（Ｙ軸方向）の倍率もＸ倍となって印刷される（実線部）。
【００６４】
なお、原稿画像の縦横の比率を固定して拡大する場合は、指定した副走査方向と主走査方向の倍率の内の小さいほうの倍率で原稿画像を拡大するようにして、指定した座標を超える拡大は行わないようにしてもよい。
【００６５】
一方、原稿画像の縦横の比率を固定しないで拡大／縮小する場合は、図１４に示すように、原稿を読み取る主走査方向（Ｙ軸方向）の倍率はＹ倍、副走査方向（Ｘ軸方向）の倍率はＸ倍となってマーカー１０２Ａ４により指定されたサイズで印刷される（実線部）。
【００６６】
次に、原稿画像を拡大／縮小して印刷する場合の用紙選択について説明する。
図１５は第１実施形態の画像形成装置において原稿画像を拡大／縮小して印刷する際の原稿画像拡大サイズと用紙サイズとの関係を示す説明図である。
【００６７】
スキャナ部１０２Ａの原稿載置台１０２Ｃ上でマーカー１０２Ａ４により原稿画像を拡大／縮小するサイズが指定された場合は、原稿画像を拡大／縮小した画像が収まる定型サイズのうち最小のサイズの用紙が選択される。
【００６８】
具体的には、図１５に示すように、マーカー１０２Ａ４により拡大／縮小するサイズが指定された画像が、Ａ４サイズよりも大きくＡ３サイズより小さい場合は、用紙サイズ選択手段１０２Ａ３２によりＡ３サイズの用紙が選択される。
【００６９】
なお、拡大された画像が印刷される場合に、用紙サイズ選択手段１０２Ａ３２により選択可能なサイズの用紙が無い場合は、使用可能な用紙サイズに収まるように原稿画像の倍率を変更する旨を表示するようにしてもよい。また、スキャナ制御部１０２Ａ３において、拡大／縮小するサイズが指定された画像が使用可能な用紙サイズに収まるように拡大／縮小する倍率を自動的に変更するようにしてもよい。
【００７０】
以上のように構成したので、第１実施形態によれば、原稿サイズ検知手段１０２Ａ２と、原稿の画像を読み取る原稿読取部１０２Ａ１と、読み取られた原稿画像を所定の倍率に変倍する変倍手段１０２Ａ３１を有するスキャナ制御部１０２Ａ３と、を備えたスキャナ部（画像読取装置）１０２Ａにおいて、原稿載置台１０２Ｃに配置することで出力する記録媒体のサイズまたは画像のサイズを指定するマーカー１０２Ａ４と、マーカー１０２Ａ４を検出するマーカー検出手段１０２Ａ５を備えて、原稿の画像を読み取る際に、マーカー検出手段１０２Ａ５によりマーカー１０２Ａ４の位置を同時に検出することで、原稿の画像に対してユーザの所望する倍率の画像のサイズを直感的にイメージでき、一度の読み取り操作により原稿の画像の読み取りと原稿のサイズを取得できるとともに、マーカー１０２Ａ４の位置を読み取ることで出力記録紙サイズも取得でき、原稿読み取りサイズと出力記録紙サイズとの比率から読み取られた画像データの倍率を算出することが可能となり、簡単にユーザの所望する倍率の画像を得ることができる。
また、原稿と出力記録紙サイズとを利用者が確認しながら変倍の指定を行うことができるので、変倍率の設定誤りを防止することができる。
【００７１】
（第２実施形態）
次に、本発明の第２実施形態について説明する。
図１６は本発明の第２実施形態に係る画像形成装置を構成するスキャナ部の電気的構成を示すブロック図、図１７は前記スキャナ部において原稿の画像を２つのマーカーによってトリミング範囲を指示するときの状態を示す説明図、図１８は前記スキャナ部において原稿の画像を２つのマーカーによって塗りつぶし範囲を指示するときの状態を示す説明図である。
【００７２】
なお、第２実施形態に係るスキャナ部の構成は一部を除き第１実施形態のスキャナ部１０２Ａと同様な構成および機能を備えるものであるため、第１実施形態のスキャナ部の構成と同様な構成を有するものは同一の符号を付することで説明を省略する。
【００７３】
第２実施形態のスキャナ部２０２Ａは、図１７に示すように、第１マーカー１０２Ａ４１および第２マーカー１０２Ａ４２の２つのマーカーを用いて原稿の一部を特定する範囲を設定する機能を有するもので、図１６に示すように、スキャナ制御部２０２Ａ３の構成として、第１マーカー１０２Ａ４１および第２マーカー１０２Ａ４２を用いて原稿の一部を特定する範囲を設定する特定範囲設定手段２０２Ａ３１を備えることを特徴とするものである。
【００７４】
特定範囲設定手段２０２Ａ３１は、原稿載置台１０２Ｃ上で第１マーカー１０２Ａ４１と第２マーカー１０２Ａ４２により指定された２位置を結ぶ直線を対角線とした矩形（四角形）を設定し、この矩形の対向する２辺を原稿読取部１０２Ａ１の走査方向に対して平行に形成し、他の２辺を原稿読取部１０２Ａ１の副走査方向に対して平行に形成して、その矩形の範囲を特定範囲（出力範囲またはトリミング範囲）として設定する。
【００７５】
第１マーカー１０２Ａ４１および第２マーカー１０２Ａ４２の位置情報は、第１実施形態の画像形成装置１００のスキャナ部１０２Ａと同様に、図５を参照して説明すると、原稿載置台１０２Ｃ上において、原左上隅を原点Ｏ（０，０）、主走査方向をＹ軸、副走査方向をＸ軸とした直交座標系として、第１マーカー１０２Ａ４１および第２マーカー１０２Ａ４２の位置をそれぞれ座標（ｘ，ｙ）で表現する。
【００７６】
ここで、第２実施形態のスキャナ部２０２Ａにおいて、第１マーカー１０２Ａ４１と第２マーカー１０２Ａ４２を用いて、原稿載置台１０２Ｃ上に載置された原稿の一部をトリミングする範囲を設定する場合について図面を参照して説明する。
【００７７】
原稿載置台１０２Ｃ上に載置された原稿Ｇ４の一部をトリミングする範囲を設定する場合は、図１７に示すように、原稿Ｇ４におけるユーザが所望する部分を第１マーカー１０２Ａ４１と第２マーカー１０２Ａ４２によって斜めに挟むようにする。
【００７８】
原稿載置台１０２Ｃ上に配置した第１マーカー１０２Ａ４１の座標を(x1,y1)とし、第２マーカー１０２Ａ４２の座標を(x2,y2)として、その２点を結ぶ直線を対角線とした矩形を設定する。そして、その矩形の対向する２辺を原稿読取部１０２Ａ１の走査方向に対して平行に形成し、他の２辺を原稿読取部１０２Ａ１の副走査方向に対して平行に形成して、第１マーカー１０２Ａ４１を通りＹ軸方向と平行な１辺と第２マーカー１０２Ａ４２を通りＸ軸方向と平行な１辺との交点を(x1,y2)とし、第１マーカー１０２Ａ４１を通りＸ軸方向と平行な１辺と第２マーカー１０２Ａ４２を通りＹ軸方向と平行な１辺との交点を(x2,y1)とする。これら４点のそれぞれ隣り合う点同士を直線で結んで囲まれる部分を特定範囲（トリミング範囲）として設定する。
【００７９】
以上のように構成したので、第２実施形態によれば、スキャナ部２０２Ａにおいて、２つのマーカーすなわち第１マーカー１０２Ａ４１と第２マーカー１０２Ａ４２を備え、スキャナ制御部２０２Ａ３は、２つの出力サイズ指定部材により指定された２位置を結ぶ直線を対角線とした矩形を設定し、前記矩形の対向する２辺を原稿読取部１０２Ａ１の走査方向に対して平行に形成し、他の２辺を原稿読取部１０２Ａ１の副走査方向に対して平行に形成して、その矩形の範囲を特定範囲（出力範囲またはトリミング範囲）として設定する特定範囲設定手段２０２Ａ３１を備えることで、画像Ｇ４において第１マーカー１０２Ａ４１と第２マーカー１０２Ａ４２によって特定された範囲をトリミングして印刷することができる。
【００８０】
また、図１８に示すように、画像Ｇ４において第１マーカー１０２Ａ４１と第２マーカー１０２Ａ４２によって特定された範囲を塗りつぶし範囲とすることで、画像Ｇ４の特定された範囲を塗りつぶした状態で印刷することも可能である。
【００８１】
（第３実施形態）
次に、本発明の第３実施形態について説明する。
図１９は本発明の第３実施形態に係る画像形成装置を構成するスキャナ部の電気的構成を示すブロック図、図２０は前記スキャナ部において原稿の画像を３つのマーカーによってトリミング範囲を指示するときの状態を示す説明図、図２１は前記スキャナ部において原稿の画像を３つのマーカーが内接する矩形により特定する範囲を指示するときの状態を示す説明図である。
【００８２】
なお、第３実施形態に係るスキャナ部の構成は一部を除き第１実施形態のスキャナ部１０２Ａと同様な構成および機能を備えるものであるため、第１実施形態のスキャナ部の構成と同様な構成を有するものは同一の符号を付することで説明を省略する。
【００８３】
第３実施形態のスキャナ部３０２Ａは、図２０に示すように、第１マーカー１０２Ａ４１、第２マーカー１０２Ａ４２および第３マーカー１０２Ａ４３の３つのマーカーを用いて原稿の一部を特定する範囲を設定する機能を有するもので、図１９に示すように、スキャナ制御部３０２Ａ３の構成として、第１マーカー１０２Ａ４１、第２マーカー１０２Ａ４２および第３マーカー１０２Ａ４３を用いて原稿の一部を特定する範囲を設定する特定範囲設定手段３０２Ａ３１を備えることを特徴とするものである。
【００８４】
特定範囲設定手段３０２Ａ３１は、原稿載置台１０２Ｃ上で第１マーカー１０２Ａ４１、第２マーカー１０２Ａ４２および第３マーカー１０２Ａ４３により指定された３位置を結ぶ直線に包囲された範囲を特定範囲（出力範囲またはトリミング範囲）として設定する。
【００８５】
第１マーカー１０２Ａ４１、第２マーカー１０２Ａ４２および第３マーカー１０２Ａ４３の位置情報は、第１実施形態の画像形成装置１００のスキャナ部１０２Ａと同様に、図５を参照して説明すると、原稿載置台１０２Ｃ上において、原左上隅を原点Ｏ（０，０）、主走査方向をＹ軸、副走査方向をＸ軸とした直交座標系として、第１マーカー１０２Ａ４１、第２マーカー１０２Ａ４２および第３マーカー１０２Ａ４３の位置をそれぞれ座標（ｘ，ｙ）で表現する。
【００８６】
ここで、第３実施形態のスキャナ部３０２Ａにおいて、第１マーカー１０２Ａ４１、第２マーカー１０２Ａ４２および第３マーカー１０２Ａ４３を用いて、原稿載置台１０２Ｃ上に載置された原稿の一部をトリミングする範囲を設定する場合について図面を参照して説明する。
【００８７】
原稿載置台１０２Ｃ上に載置された原稿Ｇ５の一部をトリミングする範囲を設定する場合は、図２０に示すように、原稿Ｇ５におけるユーザが所望する部分を第１マーカー１０２Ａ４１、第２マーカー１０２Ａ４２および第３マーカー１０２Ａ４３によって包囲するようにする。
【００８８】
原稿載置台１０２Ｃ上に配置した第１マーカー１０２Ａ４１の座標を(x1,y1)、第２マーカー１０２Ａ４２の座標を(x2,y2)、第３マーカー１０２Ａ４３の座標を(x3,y3)として、その３点を結ぶ直線を対角線とした３角形を設定する。この３角形状に囲まれる部分を特定範囲（トリミング範囲）として設定する。
【００８９】
以上のように構成したので、第３実施形態によれば、スキャナ部３０２Ａにおいて、３つのマーカーすなわち第１マーカー１０２Ａ４１、第２マーカー１０２Ａ４２および第３マーカー１０２Ａ４３を備え、スキャナ制御部３０２Ａ３は、３つの第１マーカー１０２Ａ４１、第２マーカー１０２Ａ４２および第３マーカー１０２Ａ４３により指定された位置を結ぶ直線に包囲された範囲を特定範囲（出力範囲またはトリミング範囲）として設定する特定範囲設定手段３０２Ａ３１を備えることで、画像Ｇ５において第１マーカー１０２Ａ４１、第２マーカー１０２Ａ４２および第３マーカー１０２Ａ４３によって特定された範囲をトリミングして印刷することができる。
【００９０】
また、画像Ｇ５において第１マーカー１０２Ａ４１、第２マーカー１０２Ａ４２および第３マーカー１０２Ａ４３によって特定された範囲を塗りつぶし範囲とすることで、画像Ｇ５の特定された範囲を塗りつぶした状態で印刷することも可能である。
【００９１】
さらに、図２１に示すように、画像Ｇ５において第１マーカー１０２Ａ４１、第２マーカー１０２Ａ４２および第３マーカー１０２Ａ４３の３箇所に内接する矩形によって包囲された範囲を特定範囲とするようにしてもよい。
【００９２】
（第４実施形態）
次に、本発明の第４実施形態について説明する。
図２２は本発明の第４実施形態に係る画像形成装置を構成するスキャナ部の電気的構成を示すブロック図、図２３は前記スキャナ部において見開きの原稿をマーカーによって印刷するページを指定する状態を示す説明図である。
【００９３】
なお、第４実施形態に係るスキャナ部の構成は一部を除き第１実施形態のスキャナ部１０２Ａと同様な構成および機能を備えるものであるため、第１実施形態のスキャナ部の構成と同様な構成を有するものは同一の符号を付することで説明を省略する。
【００９４】
第４実施形態のスキャナ部４０２Ａは、図２２，図２３に示すように、スキャナ制御部３０２Ａ３の構成として、マーカー１０２Ａ４を用いて原稿載置台１０２Ｃ上に載置された見開き原稿のいずれかのページを指示する印刷ページ指定手段４０２Ａ３１を備えることを特徴とするものである。
【００９５】
第４実施形態では、印刷ページ指定手段４０２Ａ３１により、原稿載置台１０２Ｃ上に載置された見開き原稿に配置されたマーカー１０２Ａ４を検出して、見開き原稿のうちのマーカー１０２Ａ４が検出されたページ側を印刷しないで印字処理を行うように制御される。
【００９６】
具体的には、図２３に示すように、原稿Ｇ６において、見開き原稿のうち２ページ目が印刷の必要が無い場合は、マーカー１０２Ａ４を２ページ側に配置することで、印刷ページ指定手段４０２Ａ３１によりマーカー１０２Ａ４が検出され、マーカー１０２Ａ４が検出された２ページ目が印刷されることなく印字処理が実行される。
【００９７】
以上のように構成したので、第４実施形態によれば、スキャナ部４０２Ａにおいて、マーカー１０２Ａ４を用いて特定の範囲を指定することができるので、原稿を変倍して印刷する機能に加えて、例えば、スキャナ制御部４０２Ａ３に印刷ページ指定手段４０２Ａ３１を備えることで、特定の範囲（例えば、見開き原稿の特定のページ）を指定して、印刷範囲を指定することができる。
【００９８】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【００９９】
１００  画像形成装置
１０２  原稿読取装置
１０２Ａ，２０２Ａ，３０２Ａ，４０２Ａ  スキャナ部（画像読取装置）
１０２Ａ１  原稿読取部（原稿読取手段）
１０２Ａ２  原稿サイズ検知手段
１０２Ａ３，２０２Ａ３，３０２Ａ３，４０２Ａ３  スキャナ制御部（制御手段）
１０２Ａ３１  変倍手段
１０２Ａ３２  用紙サイズ選択手段
１０２Ａ４  マーカー（出力サイズ指定部材）
１０２Ａ４１  第１マーカー
１０２Ａ４２  第２マーカー
１０２Ａ４３  第３マーカー
１０２Ａ５  マーカー検出手段（出力サイズ指定部材検出手段）
１０２Ａ５０  ＬＥＤバー
１０２Ａ５１  １番リーダ
１０２Ａ５２  ２番リーダ
１０２Ａ５３  ３番リーダ
１０２Ａ５ｎ  ｎ番リーダ
１０２Ｃ  原稿載置台
１０２ａ１  ランプユニット
１０２Ａ３２  用紙サイズ選択手段
２０２Ａ３１，３０２Ａ３１  特定範囲設定手段
４０２Ａ３１  印刷ページ指定手段
【図１】
2016082346.tif 000003
【図２】
2016082346.tif 000004
【図３】
2016082346.tif 000005
【図４】
2016082346.tif 000006
【図５】
2016082346.tif 000007
【図６】
2016082346.tif 000008
【図７】
2016082346.tif 000009
【図８】
2016082346.tif 000010
【図９】
2016082346.tif 000011
【図１０】
2016082346.tif 000012
【図１１】
2016082346.tif 000013
【図１２】
2016082346.tif 000014
【図１３】
2016082346.tif 000015
【図１４】
2016082346.tif 000016
【図１５】
2016082346.tif 000017
【図１６】
2016082346.tif 000018
【図１７】
2016082346.tif 000019
【図１８】
2016082346.tif 000020
【図１９】
2016082346.tif 000021
【図２０】
2016082346.tif 000022
【図２１】
2016082346.tif 000023
【図２２】
2016082346.tif 000024
【図２３】
2016082346.tif 000025